(57)【要約】【課題】コストの増大を抑制しつつ、各部の温度制御を好適に行えるようにする。【解決手段】発光素子駆動装置は、１または複数のＬＥＤ列４０１（１）〜４０１（ｎ）駆動する。制御部１０は、ＬＥＤ列４０１（１）〜４０１（ｎ）を流れる電流値に基づいて、１または複数の予測温度を導出し、予測温度に基づいてＬＥＤ列４０１（１）〜４０１（ｎ）に供給する電流を制御する。【選択図】図１
2013239647.tif 000002
【特許請求の範囲】
【請求項１】
１または複数の発光素子列を駆動する発光素子駆動装置であって、
各発光素子列を流れる電流値に基づいて、１または複数の予測温度を導出するとともに、導出した予測温度に基づいて、上記発光素子列に供給する電流を制御する制御手段を備えていることを特徴とする発光素子駆動装置。
【請求項２】
上記発光素子は、ＬＥＤであり、
上記１または複数の予測温度には、上記発光素子列の上流側に配置され、上記発光素子列に供給される電力を制御するためのトランジスタの予測温度が含まれることを特徴とする請求項１に記載の発光素子駆動装置。
【請求項３】
上記制御手段は、上記トランジスタの予測温度を、各発光素子列への供給電力の総和に基づき導出することを特徴とする請求項２に記載の発光素子駆動装置。
【請求項４】
上記発光素子は、ＬＥＤであり、
上記１または複数の予測温度には、上記発光素子列の下流側に配置されたトランジスタのオンオフを制御する駆動回路の予測温度が含まれることを特徴とする請求項１から３の何れか１項に記載の発光素子駆動装置。
【請求項５】
上記制御手段は、上記駆動回路の予測温度を、各発光素子列への上記駆動回路を経由した供給電力の総和に基づき導出することを特徴とする請求項４に記載の発光素子駆動装置。
【請求項６】
上記発光素子列の温度を計測する計測器を備え、
上記制御手段は、上記計測器によって計測された温度を更に参照して、上記発光素子列に供給する電流を制御することを特徴とする請求項１から５の何れか１項に記載の発光素子駆動装置。
【請求項７】
バックライトとしての上記発光素子列と、
請求項１から６の何れか１項に記載の発光素子駆動装置とを備えていることを特徴とする表示装置。
【請求項８】
各発光素子列は、上記バックライトの各エリアに対応するものであり、
上記発光素子駆動装置は、上記バックライトをエリア毎に駆動するものであることを特徴とする請求項７に記載の表示装置。
【請求項９】
請求項７または８に記載の表示装置を備えていることを特徴とするテレビジョン受像機。
【請求項１０】
請求項１から６の何れか１項に記載の発光素子駆動装置を動作させるためのプログラムであって、コンピュータを前記制御手段として機能させるためのプログラム。
【請求項１１】
請求項１０に記載のプログラムを記録したコンピュータ読み取り可能な記録媒体。
【発明の詳細な説明】
【技術分野】
【０００１】
本発明は、発光素子を駆動する発光素子駆動装置に関する。また、発光素子駆動装置を備えている表示装置、およびテレビジョン受像機に関する。
【背景技術】
【０００２】
近年、ＬＥＤ（発光ダイオード）などの発光素子が、液晶ディスプレイのバックライトなどの面光源として使用されている。ＬＥＤを面光源として用いる場合、通常、複数のＬＥＤを直列に接続してＬＥＤ列が構成され、更に、複数のＬＥＤ列を並列に接続してＬＥＤ行列が構成される。
【０００３】
また、ＬＥＤ行列の入力側（アノード端子側）にはＦＥＴ（Field-Effect Transistor；電界効果トランジスタ）が接続され、ＬＥＤ行列に流れる電流は、当該ＦＥＴにおけるスイッチング動作（ＯＮ／ＯＦＦの切り替え動作）によって定電流化される。
【０００４】
一方で、ＬＥＤは熱に弱く、ＬＥＤおよびその周辺回路などから発生する熱（例えば、ＦＥＴにおける、高速なスイッチング動作による電力損失に起因する熱）によって、発光効率が低下したり、耐久年数が短くなったりすることが知られている。
【０００５】
このような問題に対し、下掲の特許文献１には、ＬＥＤ発光回路とは独立したセンサを備え、センサが検出するＬＥＤ発光構造体の温度に応じてＬＥＤ発光構造体に供給する電流を制御することで温度制御を行うＬＥＤシステムが開示されている。
【先行技術文献】
【特許文献】
【０００６】
【特許文献１】特開２０１１−１１４２４９号公報（２０１１年６月９日公開）
【発明の概要】
【発明が解決しようとする課題】
【０００７】
しかし、特許文献１に記載の技術では、サーミスタ等でＬＥＤ発光構造体の温度を計測して温度制御を行うため、コストの増大を招来するという問題があった。
【０００８】
本発明は、上記の問題点を解決するためになされたものであり、その目的は、コストの増大を抑制しつつ、各部の温度制御を好適に行うことができる発光素子駆動装置を実現することにある。
【課題を解決するための手段】
【０００９】
上記の課題を解決するために、本発明の発光素子駆動装置は、１または複数の発光素子列を駆動する発光素子駆動装置であって、各発光素子列を流れる電流値に基づいて、１または複数の予測温度を導出するとともに、導出した予測温度に基づいて、上記発光素子列に供給する電流を制御する制御手段を備えていることを特徴としている。
【００１０】
上記の構成によれば、１または複数の予測温度を導出するとともに、導出した予測温度に基づいて、上記発光素子列に供給する電流を制御するので、各部の温度を直接計測するための計測器（例えばサーミスタ）を省略したり、計測器の数を削減したりすることができる。
【００１１】
したがって、上記の構成によれば、コストを削減しつつ、各部の温度制御を好適に行うことができる。
【００１２】
上記の発光素子駆動装置において、上記発光素子は、ＬＥＤであり、上記１または複数の予測温度には、上記発光素子列の上流側に配置され、上記発光素子列に供給される電力を制御するためのトランジスタの予測温度が含まれる構成としてもよい。
【００１３】
発明者の知見によれば、発光素子において、発光素子列の上流側に配置され、上記発光素子列に供給される電力を制御するためのトランジスタの温度が上昇しやすいという傾向がある。上記の構成によれば、当該発光素子列の上流側に配置されたトランジスタの予測温度を導出するので、より効果的に温度制御を行うことができる。
【００１４】
上記の発光素子駆動装置において、上記制御手段は、上記トランジスタの予測温度を、各発光素子列への供給電力の総和に基づき導出する構成としてもよい。
【００１５】
発明者は、上記発光素子列の上流側に配置されたトランジスタの予測温度は、各発光素子列への供給電力の総和に基づき好適に導出することができるとの知見を得た。したがって、上記の構成によれば、より効果的に温度制御を行うことができる。
【００１６】
上記の発光素子駆動装置において、上記発光素子は、ＬＥＤであり、上記１または複数の予測温度には、上記発光素子列の下流側に配置されたトランジスタのオンオフを制御する駆動回路の予測温度が含まれる構成としてもよい。
【００１７】
発明者の知見によれば、上記発光素子列の下流側に配置されたトランジスタのオンオフを制御する駆動回路の温度が上昇しやすいという傾向がある。上記の構成によれば、当該駆動回路の予測温度を導出するので、より効果的に温度制御を行うことができる。
【００１８】
上記の発光素子駆動装置において、上記制御手段は、上記駆動回路の予測温度を、各発光素子列への上記駆動回路を経由した供給電力の総和に基づき導出する構成としてもよい。
【００１９】
発明者は、上記駆動回路の予測温度は、各発光素子列への上記駆動回路を経由した供給電力の総和に基づき好適に導出することができるとの知見を得た。したがって、上記の構成によれば、より効果的に温度制御を行うことができる。
【００２０】
上記の発光素子駆動装置は、上記発光素子列の温度を計測する計測器を備え、上記制御手段は、上記計測器によって計測された温度を更に参照して、上記発光素子列に供給する電流を制御する構成としてもよい。
【００２１】
上記の構成によれば、上記発光素子列の温度を計測する計測器によって計測された温度を更に参照して、上記発光素子列に供給する電流を制御するので、より効果的に温度制御を行うことができる。
【００２２】
本発明の表示装置は、バックライトとしての上記発光素子列と、上記の何れかの発光素子駆動回路とを備えていることを特徴としている。
【００２３】
上記の表示装置において、各発光素子列は、上記バックライトの各エリアに対応するものであり、上記発光素子駆動装置は、上記バックライトをエリア毎に駆動する構成としてもよい。
【００２４】
エリア駆動においては、領域毎に発光素子を制御するため、温度制御をより的確に深く行う必要がある。上記構成によれば、そのような場合であっても、コストを低減しつつ各素子の温度制御を好適に行うことができる。
【発明の効果】
【００２５】
本発明の構成によれば、各部の温度を直接計測するための計測器を省略したり、計測器の数を削減したりすることができる。したがって、コストを削減しつつ、各部の温度制御を好適に行うことができる。
【図面の簡単な説明】
【００２６】
【図１】本発明の実施の形態における発光装置の構成を示す回路図である。
【図２】図１に示した発光装置を備えるテレビジョン受像機の構成を示すブロック図である。
【図３】図１に示したＬＣＤドライバからＬＥＤバックライトへの投入電流に応じた評価値のテーブルを示す説明図である。
【図４】図２に示した制御部によるＬＣＤドライバに対する制御動作をフローチャートである。
【図５】図５（ａ）は時間経過に伴うＬＥＤの温度上昇の一例を示すグラフ、図５（ｂ）は、図５（ａ）に示したＬＥＤの温度上昇が生じる場合の、時間経過に伴うサーミスタ４の読み値の変化を示すグラフである。
【図６】図２に示した液晶パネルにて表示される画面の一例を示す説明図である。
【発明を実施するための形態】
【００２７】
本発明の実施形態を図面に基づいて以下に説明する。
本発明の実施の形態における発光装置は、表示装置としてのテレビジョン受像機（以下、単にテレビと称する）に備えられている。
【００２８】
（テレビの構成）
図２は、テレビ１の構成を示すブロック図である。図２に示すように、テレビ１は、チューナ１１、デコーダ部１２、マイクロコンピュータ（以下、マイコンと称する）１３、フレームメモリ１４、記憶部１５、エリアアクティブ制御部１６、フレームメモリ１７、ＬＣＤコントローラ１８、液晶パネル１９、ＬＥＤ制御部２０、ＬＥＤドライバ（発光素子駆動回路、表示装置）３０、およびＬＥＤバックライト（表示装置）４０を備えている。なお、マイコン１３、エリアアクティブ制御部１６、およびＬＥＤ制御部２０は制御部（制御手段、発光素子駆動回路、表示装置）１０を構成している。
【００２９】
チューナ１１は、地上デジタル放送により放送される放送信号、および衛星放送により放送される放送信号などを、アンテナを介して受信する。チューナ１１は、受信した放送信号をデコーダ部１２に供給する。ここで、これらの放送信号は、例えば、ＭＰＥＧ−２やＨ．２６４／ＭＰＥＧ−４  ＡＶＣ等の所定の符号化規格によって符号化された映像データである。
【００３０】
デコーダ部１２は、チューナ１１から供給される放送信号を、例えば所定の符号化規格に従って映像信号に復号する。デコーダ部１２により復号された映像信号は、制御部１０（具体的には、マイコン１３およびエリアアクティブ制御部１６）に供給され、音声信号は、音声処理回路（不図示）に供給される。
【００３１】
マイコン１３は、ＬＥＤバックライト４０のＬＥＤ回路４０１におけるＬＥＤの温度、ＭＯＳトランジスタ３０３の温度、ＤＣＤＣコントローラ３０２の温度、およびＬＥＤドライバＩＣ（駆動回路）３０１の温度をそれぞれサーミスタ（計測器）４１１、３１３、３１２、３１１、３２４によって監視する（図１参照）。さらに、例えばサーミスタ４１１によって検出されるＬＥＤの温度が所定の閾値を超えた場合に、ＬＥＤバックライト４０への供給電力が減少するように、ＬＥＤドライバ３０を制御する。
【００３２】
また、マイコン１３は、ＬＥＤバックライト４０への供給電力（投入電力）に基づいて、例えば、ＬＥＤドライバＩＣ３０１の予測温度（ドライバ予測温度）、およびＭＯＳトランジスタ３０３の予測温度（ＦＥＴ予測温度）を演算して求める。さらに、ＬＥＤドライバＩＣ３０１の予測温度が所定の閾値を超えた場合、またはＭＯＳトランジスタ３０３の予測温度が所定の閾値を超えた場合に、ＬＥＤバックライト４０への供給電力が減少するように、ＬＥＤドライバ３０を制御する。以下では、ＬＥＤバックライト４０への供給電力を減少させる制御を供給電力減少制御と称する。
【００３３】
発光装置１００では、マイコン１３（制御部１０）が供給電力低下制御を行うことにより、ＬＥＤの温度上昇による寿命低下を防止しするとともにＬＥＤドライバ３０における半導体素子等の熱破壊を防止するようにしている。なお、マイコン１３を含む制御部１０によるＬＥＤドライバ３０の具体的な制御については後述する。
【００３４】
フレームメモリ１４は、現在の温度予測に使用される、前回の予測温度値データを格納している。したがって、フレームメモリ１４は、フレームメモリ１７よりも容量が小さく、マイコン１３により使用される。
【００３５】
記憶部１５は、ＬＥＤドライバ３０からＬＥＤバックライト４０への投入電流に応じた評価値を示すテーブル１５１（図３参照）を記憶している。テーブル１５１の詳細については後述する。
【００３６】
エリアアクティブ制御部１６は、デコーダ部１２から出力される映像信号に従って、映像信号を所定領域に分割し、分割領域ごとに映像信号の最大階調値を抽出する。この領域毎の最大階調値をＬＥＤ制御部２０に対してＬＥＤデータとして出力する。またエリアアクティブ制御部１６では、液晶の各画素の階調を示すデータをＬＣＤコントローラ１８に対して液晶データとして出力する。このとき液晶データとＬＥＤデータとは、最終出力であるＬＥＤバックライト４０と液晶パネル１９で同期が維持されるように出力される。
【００３７】
なお、ＬＥＤデータは、分割領域ごとの映像信号の最大階調値としたが、最大階調値ではなく、例えば分割領域内の映像信号の階調平均値などの他の所定の統計値であってもよい。ＬＥＤデータとしては領域内の最大階調値を用いるのが一般的であり、本実施形態では、分割領域内の最大階調値を用いるものとして説明する。
【００３８】
ＬＥＤ制御部２０は、エリアアクティブ制御部１６から出力されたＬＥＤデータに対し、電力リミット制御を行い、ＬＥＤバックライト４０の各ＬＥＤの点灯を制御するための制御信号を生成する。本実施形態における当該制御信号は、ＬＥＤドライバ３０（ＬＥＤドライバＩＣ３０１）をＰＷＭ（Pulse Width Modulation）により駆動するとともに、
ＬＥＤバックライト４０への供給電流についての電流制御を行うためのものである。
【００３９】
また、電力リミット制御は、表示画面内で輝度がさらに必要な領域に対してバックライトの輝度をより高め、コントラストを向上させるようにするもので、バックライトのＬＥＤを全点灯したときの駆動電流の総量を上限とし、各領域で点灯するＬＥＤの駆動電流の総量が、上記の全点灯時の駆動電流の総量を超えない範囲でＬＥＤの発光輝度を増加させるものである。
【００４０】
また、ＬＥＤ制御部２０から出力される制御信号は、エリアアクティブ制御部１６の分割領域ごとにＬＥＤの発光制御を行うためのもので、これによりローカルデミングを実現する。
【００４１】
フレームメモリ１７は、デコーダ部１２から出力される映像信号における所定フレーム分（例えば１フレーム分）の映像信号を格納する。
【００４２】
ＬＣＤコントローラ１８は、エリアアクティブ制御部１６から供給された液晶データに基づいて、液晶パネル１９を駆動する。
【００４３】
ＬＥＤドライバ３０は、ＬＥＤ制御部２０から供給される制御信号に基づいて、ＬＥＤバックライト４０をＰＷＭ駆動する。
【００４４】
〔発光装置の構成〕
本実施の形態において、発光装置は、図２に示した制御部１０、ＬＥＤドライバ３０、およびＬＥＤバックライト４０を備えている。図１は、発光装置１００の構成を示す回路図である。
【００４５】
（ＬＥＤバックライトの構成）
ＬＥＤバックライト４０は、図１に示すように、ＬＥＤ回路４０１、サーミスタ４１１、および基準電源４２１を備えている。また、サーミスタ４１１は、ＬＥＤ回路４０１の近傍に設けられている。
【００４６】
ＬＥＤバックライト４０は、ＬＥＤドライバ３０から供給された駆動電圧（駆動信号）により駆動されて発光する。また、ＬＥＤバックライト４０では、液晶パネル１９の表示領域を分割して設定されている、複数の画素からなるエリアごとにＬＥＤの駆動が制御され、上述したローカルデミングが実現される。ＬＥＤバックライト３０を構成するＬＥＤ回路４０１は、複数（例えば４個）のＬＥＤが直列に接続されたＬＥＤ列（発光素子列）４０１（１）〜４０１（ｎ）が並列にｎ列接続さている。ここで、ＬＥＤ列の数ｎの具体的な値は本実施形態を限定するものではないが、例えば、ｎ＝１６やｎ＝３２とする構成が可能である。
【００４７】
また、サーミスタ４１１は、一端が基準電源４２１に接続され、他の一端が制御部１０に接続されている。
【００４８】
（ＬＥＤドライバの構成）
ＬＥＤドライバ３０は、ＬＥＤドライバＩＣ３０１、ＤＣＤＣコントローラ３０２、ＭＯＳトランジスタ３０３、定電流ドライバ３０４、電源３０５、サーミスタ３１１〜３１４、および基準電源３２１〜３２４を備えている。図１に示す例では、サーミスタ３１１〜３１４の各々は、ＬＥＤドライバＩＣ３０１、ＤＣＤＣコントローラ３０２、ＭＯＳトランジスタ３０３、および定電流ドライバ３０４の近傍に設けられていが、これらのサーミスタ３１１〜３１４は、本実施形態において必須の構成要素ではなく、省略することが可能である。
【００４９】
定電流ドライバ３０４は、ＬＥＤバックライト４０のＬＥＤ列４０１（１）〜４０１（ｎ）の数に応じた数のＭＯＳトランジスタ３０４（１）〜（ｎ）を備えている。
【００５０】
ＬＥＤドライバＩＣ３０１は、ＬＥＤバックライト４０のＬＥＤ列４０１（１）〜４０１（ｎ）の数に応じたｎチャンネルの駆動端子を備え、各駆動端子は、定電流ドライバ３０４の対応するＭＯＳトランジスタ３０４（１）〜３０４（ｎ）を介して、対応するＬＥＤ列４０１（１）〜４０１（ｎ）と接続されている。ＬＥＤドライバＩＣ３０１は、制御部１０のＬＥＤ制御部２０から供給される制御信号に基づいて、定電流ドライバ３０４の各ＭＯＳトランジスタ３０４（１）〜（ｎ）のＯＮ／ＯＦＦを制御して、ＬＥＤバックライト４０をＰＷＭ駆動する。
【００５１】
また、ＬＥＤドライバＩＣ３０１は、制御部１０（マイコン１３）にて供給電力減少制御が行われる場合、ＬＥＤバックライト４０に供給される電流値が供給電力減少制御の内容に応じて変化するように、定電流ドライバ３０４の各ＭＯＳトランジスタ３０４（１）〜３０４（ｎ）のＯＮ／ＯＦＦ動作を制御する。すなわち、ＬＥＤバックライト４０に供給される電流値が供給電力減少制御の内容に応じて変化するように、定電流ドライバ３０４の各ＭＯＳトランジスタ３０４（１）〜３０４（ｎ）をＰＷＭ制御により駆動する。
【００５２】
一方で、ＭＯＳトランジスタ３０３は、ソース端子が電源３０５に接続され、ドレイン端子が接地され、ゲート端子がＤＣＤＣコントローラ３０２の出力端子に接続されている。ＭＯＳトランジスタ３０３は、ＤＣＤＣコントローラ３０２から供給される直流電圧に応じて、ＯＮとＯＦＦとが切り替えられる。また、ＭＯＳトランジスタ３０３は、ＯＮ状態である場合に、ＤＣＤＣコントローラ３０２から供給される直流電圧に応じた増幅率で、電源３０５から供給される電圧を増幅する。なお、ＤＣＤＣコントローラは、昇圧回路や力率改善回路と呼称されることもある。
【００５３】
サーミスタ３１１は、一端が基準電圧３２１に接続され、他端が制御部１０に接続されている。同様に、サーミスタ３１２〜３１４は、一端が対応する基準電源３２２〜３２４に接続され、他端が制御部１０に接続されている。
【００５４】
上記の構成において、発光装置１００の制御部１０による、ＬＥＤバックライト４０を駆動するＬＥＤドライバ３０に対する制御動作について説明する。
【００５５】
制御部１０のマイコン１３は、前述のように、サーミスタ４１１によって検出されるＬＥＤバックライト４０のＬＥＤ回路４０１におけるＬＥＤの温度を監視している。また、ＬＥＤバックライト４０への供給電力（投入電力）に基づいて、ＬＥＤドライバＩＣ３０１の予測温度、およびＭＯＳトランジスタ３０３の予測温度を演算して求める。この場合、マイコン１３は、図３に示した、ＬＥＤバックライト４０への投入電流に応じた評価値を示すテーブル１５１を参照する。
【００５６】
なお、制御部１０によるＬＥＤ温度の監視、および各予測温度の導出は、例えば、所定の時間毎に行ってもよいし、所定のフレーム数毎（１０フレーム毎や２０フレーム毎等）に行ってもよい。
【００５７】
以下には、図３のテーブルに基づく、ＬＥＤドライバＩＣ３０１の予測温度の算出例を示す。ＣＨはＬＥＤドライバＩＣ３０１の駆動端子（ＣＨ１は第１チャンネルの駆動端子）を示す。また、前回予測温度は、前回予測を行ったときの温度であり、ドライバ予測温度は、評価値の合計から−４を引いた値となっている。また、上記電流値に代えて、ＬＥＤバックライト４０が有する各ＬＥＤ列を駆動するために流した電流と電流を流した累積時間との乗算値を用いる構成としてもよい。この場合、累積時間は、例えば液晶パネル１９における１フレームの表示時間に相当する。さらには、上記電流値に代えて、各ＬＥＤ列に投入される電力と累積時間との乗算値を用いてもよい。
【００５８】
また、上記電流値の検出は、各ＬＥＤ列に電流検出手段を設けることによって直接的に行う構成としてもよいし、各ＭＯＳトランジスタ３０４がオンとなる期間等に基づいて間接的に行う構成としてもよい。
【００５９】
以下の例において、ケースＮにおける「前回予測温度」とは、ケースＮ−１におけるドライバ予測温度のことを指している。
【００６０】
ケース１：ＣＨ１＝１００ｍＡ、ＣＨ２＝６０ｍＡ、ＣＨ３＝４０ｍＡ、ＣＨ４＝７０ｍＡ→ドライバ予測温度＝９℃（評価値：＋１０＋１−１＋３＋０（前回予測温度））
ケース２：ＣＨ１＝１００ｍＡ、ＣＨ２＝６０ｍＡ、ＣＨ３＝４０ｍＡ、ＣＨ４＝７０ｍＡ→ドライバ予測温度＝１８℃（評価値：＋１０＋１−１＋３＋９（前回予測温度））
ケース３：ＣＨ１＝１００ｍＡ、ＣＨ２＝６０ｍＡ、ＣＨ３＝４０ｍＡ、ＣＨ４＝７０ｍＡ→ドライバ予測温度＝２７℃（評価値：＋１０＋１−１＋３＋１８（前回予測温度））
ケース４：ＣＨ１＝９０ｍＡ、ＣＨ２＝５０ｍＡ、ＣＨ３＝３０ｍＡ、ＣＨ４＝６０ｍＡ→ドライバ予測温度＝３２℃（評価値：＋７＋０−３＋１＋２７（前回予測温度））
ケース５：ＣＨ１＝８０ｍＡ、ＣＨ２＝４０ｍＡ、ＣＨ３＝２０ｍＡ、ＣＨ４＝５０ｍＡ→ドライバ予測温度＝３１℃（評価値：＋５−１−５＋０＋３２（前回予測温度））
ケース６：ＣＨ１＝７０ｍＡ、ＣＨ２＝３０ｍＡ、ＣＨ３＝１０ｍＡ、ＣＨ４＝４０ｍＡ→ドライバ予測温度＝２１℃（評価値：＋３−３−７−３＋３１（前回予測温度））
また、例えば、サーミスタ４１１に検出されるＬＥＤの温度と、サーミスタ４１１の読み値（検出値）との関係は図５（ａ）（ｂ）に示すようになる。図５（ａ）は時間経過に伴うＬＥＤの温度上昇の一例を示すグラフ、図５（ｂ）は、図５（ａ）に示したＬＥＤの温度上昇が生じる場合の、時間経過に伴うサーミスタ４１１の読み値の変化を示すグラフである。
【００６１】
制御部１０すなわちマイコン１３による、ＬＥＤバックライト４０を駆動するＬＥＤドライバ３０に対する制御動作をフローチャート基づいて説明する。図４は、制御部１０によるＬＥＤドライバ３０に対する制御動作をフローチャートである。
【００６２】
マイコン１３は、サーミスタ４１１によって検出されるＬＥＤバックライト４０のＬＥＤ回路４０１におけるＬＥＤの温度を取得し（Ｓ１）、ＬＥＤの温度ＴＬＥＤが所定の閾値ＴｔｈＬＥＤを超えているか否かを判定する（Ｓ２）。なお、閾値ＴｔｈＬＥＤとしては、例えば、ＬＥＤの発光効率の低下や寿命の低下を生じない範囲の温度の上限値が設定される。
【００６３】
Ｓ２の判定の結果、ＬＥＤの温度ＴＬＥＤが閾値ＴｔｈＬＥＤを超えていれば、供給電力減少制御により、ＬＥＤバックライト４０に供給する電流値（電力量）を減少させる（Ｓ９）。
【００６４】
一方、Ｓ２の判定の結果、ＬＥＤの温度ＴＬＥＤが閾値ＴｔｈＬＥＤ以下であれば、ＬＥＤドライバＩＣ３０１の予測温度（ドライバ予測温度ＴＤ）を取得する（Ｓ３）。
【００６５】
ドライバ予測温度ＴＤを取得するめの計算は、図３のテーブル１５１を参照して、
ドライバ予測温度＝（投入電流（ＣＨ１）評価値）＋（投入電流（ＣＨ２）評価値）
＋（投入電流（ＣＨ３）評価値）＋……＋（投入電流（ＣＨＮ）評価値）
＋前回の予測温度
により行われる。
【００６６】
次に、算出したドライバ予測温度ＴＤが所定の閾値ＴｔｈＤを超えているか否かを判定する（Ｓ４）。なお、閾値ＴｔｈＤとしては、例えば、ＬＥＤドライバＩＣ３０１が破壊されず安定に動作できる範囲の温度の上限値が設定される。
【００６７】
Ｓ４の判定の結果、ドライバ予測温度ＴＤが閾値ＴｔｈＤを超えていれば、供給電力減少制御により、ＬＥＤバックライト４０に供給する電流値（電力量）を減少させる（Ｓ９）。
【００６８】
一方、Ｓ４の判定の結果、ドライバ予測温度ＴＤが閾値ＴｔｈＤ以下であれば、ＭＯＳトランジスタ３０３の予測温度（ＦＥＴ予測温度ＴＦＥＴ）を取得する（Ｓ５）。
【００６９】
ＦＥＴ予測温度ＴＦＥＴを取得するめの計算は、図３のテーブル１５１を参照して、
ＦＥＴ予測温度＝ｍａｘ{（投入電流（ＣＨ１）評価値）＋前回の予測温度（ＣＨ１））
，（投入電流（ＣＨ２）評価値）＋前回の予測温度（ＣＨ２））
，（投入電流（ＣＨ３）評価値）＋前回の予測温度（ＣＨ３））
，……，（投入電流（ＣＨＮ）評価値）＋前回の予測温度（ＣＨＮ））}
により行われる。すなわち、ＦＥＴ予測温度ＴＦＥＴは、各チャンネルの予測温度の最大値である。
【００７０】
次に、算出したＦＥＴ予測温度ＴＦＥＴが所定の閾値ＴｔｈＦＥＴを超えているか否かを判定する（Ｓ６）。なお、閾値ＴｔｈＦＥＴとしては、例えば、ＭＯＳトランジスタ３０３が破壊されず安定に動作できる範囲の温度の上限値が設定される。
【００７１】
Ｓ６の判定の結果、ＦＥＴ予測温度ＴＦＥＴが閾値ＴｔｈＦＥＴを超えていれば、供給電力減少制御により、ＬＥＤバックライト４０に供給する電流値（電力量）を減少させる（Ｓ９）。
【００７２】
一方、Ｓ６の判定の結果、ＦＥＴ予測温度ＴＦＥＴが閾値ＴｔｈＦＥＴ以下であり、電流制御中であれば（Ｓ７）、ＬＥＤバックライト４０に供給する電流値（電力量）を増加させる（Ｓ８）。また、Ｓ７において、電流制御中でなければ、そのまま処理を終了する。
【００７３】
図４に示した上記の動作は、例えば、液晶パネル１９に表示される映像信号の１フレームごと、あるいは複数フレームごとに行われる。
【００７４】
以上のように、本実施の形態の発光装置１００では、制御部１０（マイコン１３）は、ＬＥＤバックライト４０への供給電力（投入電力）に基づいて、例えば、ＬＥＤドライバＩＣ３０１の予測温度（ドライバ予測温度）、およびＭＯＳトランジスタ３０３の予測温度（ＦＥＴ予測温度）を演算し、ドライバ予測温度が所定の閾値を超えた場合、またはＦＥＴ予測温度が所定の閾値を超えた場合に、供給電力減少制御により、ＬＥＤバックライト４０への供給電力が減少するようにＬＥＤドライバ３０を制御する。
【００７５】
液晶パネル１９において、例えば図６に示すような映像を表示する場合には、液晶パネル１９の中央部の位置に対応するＬＥＤに負荷が集中することになる。しかしながら、制御部１０にて供給電力低下制御が行われることにより、ＬＥＤの温度上昇による寿命低下が防止され、かつＬＥＤドライバ３０における半導体素子等の熱破壊が防止される。これにより、発光装置１００の信頼性を向上し、かつ発光装置１００は安定な動作を行うことができる。
【００７６】
なお、ＬＥＤの予測温度は、同じ電力を投入した場合であっても、例えばテレビ内におけるＬＥＤの位置によって変化することが考えられる。具体的には、テレビ内の上部位置のＬＥＤは、下部位置のＬＥＤよりも下からの炙り熱で温度が上昇しやすくなる。したがって、この点を考慮してＬＥＤ予測温度をより正確に計算してもよい。この場合の予測温度の計算式は下記のようになる。この場合、
１．各ＬＥＤ素子用の評価値テーブルを作成する。
２．ＬＥＤ素子の予測温度は、ＬＥＤ素子の位置に応じて、その下方位置のＬＥＤ素子の予測温度に係数ｋ（ｋ：炙り係数）を乗算した値をプラスする。すなわち、
ＬＥＤ予測温度＝投入電流（ＣＨ１）評価値＋前回の予測温度値（ＣＨ１）
＋ｋ＊前回の予測温度値（ＣＨ２）
となる。
【００７７】
〔プログラムおよび記録媒体〕
また、上述した制御部１０の各ブロックは、ハードウェアロジックによって構成してもよいし、次のようにＣＰＵを用いてソフトウェアによって実現してもよい。
【００７８】
すなわち、制御部１０は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである制御部１０の制御プログラム（認証プログラム）のプログラムコード（実行形式プログラム、中間コードプログラム、ソースプログラム）をコンピュータで読み取り可能に記録した記録媒体を、上記制御部１０に供給し、そのコンピュータ（またはＣＰＵやＭＰＵ）が記録媒体に記録されているプログラムコードを読み出し実行することによっても、達成可能である。
【００７９】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ（登録商標）／フラッシュＲＯＭ等の半導体メモリ系などを用いることができる。
【００８０】
また、制御部１０を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ（high data rate）、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【００８１】
本発明は、照明器具の光源、およびテレビジョン受像機、および携帯電話などのディスプレイのバックライト好適に利用することができる。
【符号の説明】
【００８２】
１    テレビジョン受像機
１０    制御部（制御手段、発光素子駆動回路、表示装置）
１３    マイクロコンピュータ
１６    エリアアクティブ制御部
２０    ＬＥＤ制御部
３０    ＬＥＤドライバ（発光素子駆動回路、表示装置）
４０    ＬＥＤバックライト（表示装置）
３０１    ＬＥＤドライバＩＣ（駆動回路）
３０２    ＤＣＤＣコントローラ
３０３    ＭＯＳトランジスタ
３０４    定電流ドライバ
304(1)〜304(n)  ＭＯＳトランジスタ
311〜314        サーミスタ
４０１          ＬＥＤ回路（計測器）
401(1)〜401(n)  ＬＥＤ列（発光素子列）
４１１    サーミスタ
【図１】
2013239647.tif 000003
【図２】
2013239647.tif 000004
【図３】
2013239647.tif 000005
【図４】
2013239647.tif 000006
【図５】
2013239647.tif 000007
【図６】
2013239647.tif 000008